(57)【要約】【課題】下レールへの塵埃や土砂の堆積を防止して、戸パネルの開閉が常に円滑に行えるようにする。併せて戸パネルの下方空間の上下隙間を小さくして防犯性が向上する組立家屋用の引戸構造を提供する。【解決手段】戸パネル４Ａ・４Ｂを上レール６で引き違い開閉自在に案内支持する。前側の戸パネル４Ａと、下レール８との間に振止め構造を設ける。振止め構造は、下向きに開口する下レール８と、前側の戸パネル４Ａの下部に装着した振止め枠２０と、振止め枠２０に装着されるランナ２１とを含む。振止め枠２０側に設けた振止め突条２５と、戸パネル４Ｂ側に設けた振止め溝２６とを互いに係合させて、後側の戸パネル４Ｂの前後振れを規制する。【選択図】図１
2006152617.tif 000002
【特許請求の範囲】
【請求項１】
出入口（３）を開閉する戸パネル（４Ａ・４Ｂ）が上レール（６）で引き違い開閉自在に案内支持されていて、前側の戸パネル（４Ａ）と下レール（８）との間に振止め構造が設けてある組立家屋用の引戸構造であって、
振止め構造は、下向きに開口する状態で設けられる下レール（８）と、前側の戸パネル（４Ａ）の下部に装着されて、後側の戸パネル（４Ｂ）の下面を潜って下レール（８）へ向かって伸びる振止め枠（２０）とを含み、
後側の戸パネル（４Ｂ）と振止め枠（２０）との間には、後側の戸パネル（４Ｂ）の前後振れを規制するために、凹凸係合する振止め突条（２５）と振止め溝（２６）とが配置してあることを特徴とする組立家屋用の引戸構造。
【請求項２】
振止め突条（２５）が、振止め枠（２０）の中途部上面に一体に折り曲げ形成されており、
戸パネル（４Ｂ）の側に振止め溝（２６）が形成されている請求項１記載の組立家屋用の引戸構造。
【請求項３】
、
振止め枠（２０）に下レール（８）で移行案内されるランナ（２１）が装着されており、
後側の戸パネル（４Ｂ）の開放端側の下部に、下レール（８）と凹凸係合して戸パネル（４Ｂ）の前後振れを規制する規制体（３０）が設けてある請求項１または２記載の組立家屋用の引戸構造。
【請求項４】
下枠（７）に、前後の戸パネル（４Ａ・４Ｂ）の下端面に対向するベース壁（１４）と、下レール（８）とが一体に形成してある請求項１または２または３記載の組立家屋用の引戸構造。
【発明の詳細な説明】
【技術分野】
【０００１】
本発明は、物置に代表される組立家屋用の引戸構造に関する。
【背景技術】
【０００２】
この種の引戸における戸パネルは、殆どの場合が上レールに吊り下げ支持されており、パネル下部と開口枠との間に設けた振止め構造によって、戸パネルが内外方向へ揺れるのを規制している（特許文献１参照）。そこでは、下レールの上面に突設した複数本のレールと、戸パネルの下端面に凹み形成した振止め溝とで振止め構造を構成している。特許文献２の引戸においては、上向きに開口する断面コ字状の下レールと、戸パネルの下端面に装着されて、縦軸まわりに遊転するローラとで振止め構造を構成している。
【０００３】
本発明に関して、下向きに開口する下レールで振止め体を移行案内することは、特許文献３に公知である。そこでは、開口枠の下面に配置した前後２列のレールと、各戸パネルの下端に装着した振止め具とで振止め構造を構成している。振止め具は、Ｌ字状のローラ支持腕と、ローラ支持腕の内端上面に遊転自在に軸支されるローラとで構成してある。なお、特許文献３の引戸は家具やクローゼットなどを適用対象としている。
【０００４】
【特許文献１】特開２００２−１３８７３９号公報（段落番号００１１、図３）
【特許文献２】特開２００１−１６４７７３号公報（段落番号０００９、図２）
【特許文献３】特公平３−３６３８８号公報（第４欄９〜２３行、第２図）
【発明の開示】
【発明が解決しようとする課題】
【０００５】
特許文献１の振止め構造では、下レールの上面に振止め用のレールが突設されているので、レールの間に塵埃や土などが堆積しやすいうえ、レールの間に堆積した塵埃や土を除去するのに多くの手間が掛かる。とくに、屋外に設置される物置の場合には、土足のままで出入りするためレールの間に土砂が詰りやすく、レールの間に詰った土砂で戸パネルの開閉が困難になりがちである。特許文献２の振止め構造においても同様の問題がある。
【０００６】
特許文献３の振止め構造は、断面コ字状の下レールを下向きに開口する状態で装着するので、下レールに塵埃や土が堆積することはなく、物置に適した振止め構造になる。しかし、戸パネルを上レールに吊り掛けた後、Ｌ字状のローラ支持腕を戸パネルとに後組みするので、戸パネルと床面との間に、Ｌ字状のローラ支持腕を差し込むための比較的大きな組立空間を確保する必要があり、防犯上の問題がある。例えば、先の組立空間に工具や金属パイプなどを差し込んで、ローラが下レールから分離されるおそれがある。
【０００７】
ローラ部分の上下寸法を小さくすると、先の組立空間は小さくできる。しかし、各戸パネルに対応してＬ字状のローラ支持腕を設けるので、前後の戸パネルを開放した状態において、上下に重なるローラ支持腕を収容するための空間を、下レールと床面との間に確保する必要があり、組立空間を小さくすることに限界がある。各戸パネルに対応して複数個の下レールを設けるので、レール構造が複雑になるし、戸パネルを吊り込む際に、下レールと振止め構造とを間違えて組むことがある。
【０００８】
本発明の目的は、下レールへの塵埃や土砂の堆積を確実に防止して、戸パネルの開閉が常に円滑に行える組立家屋用の引戸構造を提供することにある。本発明の目的は、戸パネルの吊り込み作業が簡便化し、戸パネルの下方空間の上下高さを小さくして、防犯性も向上する組立家屋用の引戸構造を提供することにある。
【課題を解決するための手段】
【０００９】
本発明の引戸構造では、図２に示すごとく、出入口３を開閉する戸パネル４Ａ・４Ｂが上レール６で引き違い開閉自在に案内支持され、前側の戸パネル４Ａと下レール８との間に振止め構造が設けられている。その振止め構造は、図１に示すごとく下向きに開口する状態で設けられる下レール８と、前側の戸パネル４Ａの下部に装着されて、後側の戸パネル４Ｂの下面を潜って下レール８へ向かって伸びる振止め枠２０とを含み、後側の戸パネル４Ｂと振止め枠２０との間には、後側の戸パネル４Ｂの前後振れを規制するために、凹凸係合する振止め突条２５と振止め溝２６とが配置されていることを特徴とする。
【００１０】
具体的には、振止め突条２５が、振止め枠２０の中途部上面に一体に折り曲げ形成されており、戸パネル４Ｂの側に振止め溝２６が形成されている。
【００１１】
振止め枠２０に下レール８で移行案内されるランナ２１を装着することができる。後側の戸パネル４Ｂの開放端側の下部には、図１および図４に示すごとく、下レール８と凹凸係合して戸パネル４Ｂの前後振れを規制する規制体３０を設けることができる。
【００１２】
下枠７には、前後の戸パネル４Ａ・４Ｂの下端面に対向するベース壁１４と、下レール８とを一体に形成することができる。
【発明の効果】
【００１３】
本発明では、前側の戸パネル４Ａ用の振止め構造が、下向きに開口する１個の下レール８と、戸パネル４Ａに装着される振止め枠２０などで構成した。そのうえで、互いに凹凸係合して後側の戸パネル４Ｂの前後振れを規制する振止め突条２５および振止め溝２６が、戸パネル４Ｂと振止め枠２０との間に配置されている。
【００１４】
このように、下向きに開口する下レール８で振止め枠２０を移行案内すると、下レール８への塵埃や土砂の堆積を確実に防止して、戸パネルの開閉が常に円滑に行える。出入口３の下部にあって、目視し難い下レール８は１個だけに限られているので、戸パネル４Ａ・４Ｂを吊り込む際に、下レール８に対する組み付け部材を間違える余地がない。しかも、戸パネル４Ａを持ち上げるだけで振止め枠２０を下レール８に嵌め込むことができるので、一連の吊り込み作業が確実にしかも簡便に行える。
【００１５】
後側の戸パネル４Ｂと、その下方を潜る振止め枠２０とを利用して振止め突条２５および振止め溝２６を設け、これら両者２５・２６が互いに凹凸係合することで後側の戸パネル４Ｂの前後振れを規制しているので、従来の振れ止め構造に比べて、前後の戸パネル４Ａ・４Ｂと下枠７との対向間隔を充分に小さく設定できる。前後の戸パネル４Ａ・４Ｂと下枠７との間には、１個の振止め枠２０が配置されるだけであり、しかも振止め枠２０を下レール８の下面開口と正対できる組み付け空間を確保すればよいからである。このように、前後の戸パネル４Ａ・４Ｂと下枠７との上下間隔が小さいと、工具や金属パイプなどの差し込みが難しくなり、防犯効果も向上する。
【００１６】
振止め枠２０の中途部上面に振止め突条２５を一体に折り曲げ形成し、戸パネル４Ｂ側に振止め溝２６を形成してあると、後側の戸パネル４Ｂの前後振れを規制するための構造が簡素化し、その分だけコストを削減できる。戸パネル４Ｂの側に振止め突条２５を設ける場合には、戸パネル４Ｂとは別に振止め突条２５を設けざるを得ず、部品点数が増えるからである。振止め枠２０に設けた振止め突条２５は、振止め枠２０の構造強度を補強することにも役立っており、こじ開けに対する抵抗力を増強できる。
【００１７】
振止め枠２０にランナ２１を装着して下レール８で移行案内すると、前側の戸パネル４Ａの前後振れ幅を最小限化できるうえ、振止め枠２０と下レール８との相対スライドを円滑化して、戸パネル４Ａの開閉を軽快に行える。下レール８と凹凸係合して戸パネル４Ｂの前後振れを規制する規制体３０が、戸パネル４Ｂの開放端側の下部に設けられていると、振止め突条２５および振止め溝２６による前後振れの規制に加えて、規制体３０によっても前後振れを規制できる。つまり、戸パネル４Ｂの下端両側の前後振れを同時に規制されるので、全閉状態と全開放状態との間において、戸パネル４Ｂを常に安定した状態で円滑に開閉できる。規制体３０は、前側の戸パネル４Ａを開放操作するとき、後側の戸パネル４Ｂを同行しながら開放移動させるための連動片を兼ねており、別途連動片を設ける場合に比べて連動構造が簡素化する。
【００１８】
下レール８が下枠７と一体に形成されていると、下レール８を独立部品として形成する場合に比べて、振止め構造を簡素化できる。前後の戸パネル４Ａ・４Ｂの下端面と対向位置に下枠７のベース壁１４を設けてあると、両戸パネル４Ａ・４Ｂと下枠７との上下間隔が小さい領域の前後幅を大きくできるので、工具や金属パイプなどの差し込みがさらに困難になって防犯効果を向上できる。前後の戸パネル４Ａ・４Ｂの下面下方がベース壁１４で覆われているので、雨天時に地面から跳ね返った水滴や、土を含む水滴が戸パネル４Ａ・４Ｂに付着するのを阻止できる。
【発明を実施するための最良の形態】
【００１９】
（実施例）  図１ないし図５は本発明に係る引戸構造を物置に適用した実施例を示す。図２において、物置の前面に配置した開口枠１と、開口枠１の側端を塞ぐ前壁２とによって出入口３が画定されており、出入口３は前後一対の戸パネル４Ａ・４Ｂで引き違い開閉できる。
【００２０】
前後の戸パネル４Ａ・４Ｂは、開口枠１の上枠（鴨居）５に設けた上レール６と、開口枠１の下枠（敷居）７に設けた下レール８とに沿って開閉でき、全開放した状態の両戸パネル４Ａ・４Ｂを先の前壁２の外面に収納できる。符号９は前側の戸パネル４Ａに固定した把手である。
【００２１】
戸パネル４Ａ・４Ｂは、鋼板製のパネルからなり、図３に示すように上部両隅に固定した戸車１２を上レール６に吊り掛けることにより、開閉自在に案内支持されている。上レール６はアルミニウム条材からなり、その内面に戸車１２を転動案内するレール６ａと、戸車１２の上方への持ち上げ移動を阻止する規制壁６ｂとを備えている。
【００２２】
図３において下枠７は、戸パネル４Ａ・４Ｂの下端面に対向するベース壁１４と、ベース壁１４の内奥に連続する三角形状の凹部１５と、凹部１５から立ちあがる縦壁１６と、縦壁１６の上端に連続して下向きに開口する下レール８とを含む中空枠状に構成されている。
【００２３】
下レール８の前壁下端とベース壁１４との間の上下間隔は、後述する振止め枠２０の横腕壁２３の下面からランナ２１の上端までの高さ寸法より僅かに小さく設定する。ベース壁１４は、前端側へ向かって緩やかに下り傾斜させてあり、その面壁の中途部前後に補強用のリブが凹み形成してある。ベース壁１４の前端は、前側の戸パネル４Ａの前面より前側へ僅かに突出している。その理由は後述する。
【００２４】
前側の戸パネル４Ａの前後方向への振れを規制するために、戸パネル４Ａと下レール８との間には振止め構造を設ける。その振止め構造は下レール８と、戸パネル４Ａの下部に装着されて、後側の戸パネル４Ｂの下面を潜って下レール８へ向かって伸びる振止め枠２０と、振止め枠２０に装着されて下レール８で移行案内されるランナ２１とからなる。
【００２５】
振止め枠２０は、戸パネル４Ａに締結固定される装着壁２２と、装着壁２２の下端から後向きに折り曲げられる横腕壁２３と、横腕壁２３の後端から上向きに立ちあがる縦腕壁２４とを備えており、図４に示すように、その左右幅は戸パネル４Ａの左右幅より僅かに短い。ランナ２１は、滑性に富むプラスチック材を素材にした逆Ｕ字状の成形品からなり、縦腕壁２４の左右両端に外嵌固定する。
【００２６】
後側の戸パネル４Ｂの前後方向への振れを規制するために、戸パネル４Ｂと先の振止め枠２０との間には、互いに凹凸係合する振止め突条２５と振止め溝２６とが設けられている。振止め突条２５は断面逆Ｕ字状に形成してあり、先に説明した横腕壁２３の前後中途部の上面において上向きに突出する状態で折り曲げ形成されている。
【００２７】
出入口３を閉じた状態における一対の戸パネル４Ａ・４Ｂの側端どうしは前後に重なる。この重なり部分に臨む内側の戸パネル４Ｂの下端には、スライドブロック２７を固定し、その下面中央に振止め突条２５と係合する振止め溝２６を形成する。スライドブロック２７は滑性に富むプラスチック材を素材にした矩形ブロック状の成形品からなる。
【００２８】
後側の戸パネル４Ｂの開き始端側の下端には、上記の振れ規制構造とは別に、下レール８と凹凸係合して前後振れを規制する規制体３０が設けてある。規制体３０は、上向きに開口するコ字状のスライド枠３１と、スライド枠３１の縦壁の左右両端に外嵌装着される逆Ｕ字状のスライド片３２とからなる。スライド枠３１はプレス金具からなり、スライド片３２は、滑性に富むプラスチック材を素材とする成形品からなる。
【００２９】
規制体３０は、前側の戸パネル４Ａを開放操作するとき、後側の戸パネル４Ｂを同行しながら開放移動させるための連動片を兼ねている。詳しくは、前側の戸パネル４Ａを開放操作して、その開放端側のランナ２１が規制体３０に接触した後は、後側の戸パネル４Ｂは前側の戸パネル４Ａに同行して開放移動する。したがって、前後の戸パネル４Ａ・４Ｂを連動するための連動片を別に設ける必要がなく、構造の簡素化に寄与する。
【００３０】
後側の戸パネル４Ｂの下端前後幅は、左右の縦枠部分の前後幅より小さく、出入口３を閉じた状態において物置の内部から見ると、後側の戸パネル４Ｂの下方が振止め枠２０で覆われていないため、下レール８の前面と戸パネル４Ｂの下縁との間が外部と連通する。この連通部分を覆い隠すために、下レール８の前面と対向する内側の戸パネル４Ｂの下縁に沿って遮蔽枠３４が設けられている。さらに、前側の戸パネル４Ａの閉じ端側の下部に、振止め枠２０の側端面を覆い隠すカバー３６が装着してある（図５参照）。
【００３１】
上記構成の各戸パネル４Ａ・４Ｂは、以下の要領で吊り込む。まず、後側の戸パネル４Ｂの規制体３０をベース壁１４に載置し、そのスライド片３２を下レール８の開口下面に臨ませる。その状態のままで戸パネル４Ｂを持ち上げて、スライド片３２を下レール８に嵌め込んだ後、戸車１２を上レール６に吊り掛ける。
【００３２】
次に、前側の戸パネル４Ａの振止め枠２０をベース壁１４上に載置して、ランナ２１を下レール８の開口下面に臨ませ、その状態のままで戸パネル４Ａを持ち上げて、ランナ２１を下レール８に嵌め込む。このとき、同時に振止め突条２５が振止め溝２６に嵌まり込む。その状態のまま、戸パネル４Ａをさらに持ち上げて、戸車１２を上レール６に吊り掛ける。
【００３３】
最後に、後側の戸パネル４Ｂの閉じ限界を規定するストッパを上レール６に締結し、さらに、前側の戸パネル４Ａを全開放位置から閉じ操作するとき、後側の戸パネル４Ｂを同行操作する連動片（図示していない）を振止め枠２０に締結する。このように、前後の戸パネル４Ａ・４Ｂの吊り込み作業は、下レール８が下向きに開口しているので極めて簡便に行うことができる。
【００３４】
前後の戸パネル４Ａ・４Ｂを上下レール６・８に吊り込んだ状態では、振止め枠２０が後側の戸パネル４Ｂの下方を前後に潜るだけであるので、各戸パネルに対応してローラ支持腕を設けていた従来の振止め構造に比べて、戸パネル４Ａ・４Ｂとベース壁１４との上下間隔が小さくできる。さらに、ベース壁１４が前パネル４Ａの真下まで突出して、狭い間隔部分の前後長さを大きくできるので、工具や金属パイプなどの差し込みをさらに困難化して防犯効果を向上できる。
【００３５】
仮に、戸パネル４Ａ・４Ｂとベース壁１４との間に手を差し込むことができたとしても、上下間隔が小さいため、指先を曲げることができないので、その点でも防犯効果は向上する。振止め枠２０が戸パネル４Ａと同程度の広幅に設定してあり、さらに振止め突条２５が補強体として機能することも、こじ開けによるランナ２１の下レール８からの分離を困難化することに役立っている。
【００３６】
ベース壁１４や、横腕壁２３の上面に塵埃が付着し堆積したとしても、物置の内側から塵埃を掃き落とすだけで簡単に除去でき、清掃に手間が掛からない。ベース壁１４の上面に積もった塵埃を放置しておくと、いずれ戸パネル４Ａ・４Ｂの隙間などから物置内へ入り込む。こうした事態を避けるために、ベース壁１４の内奥端に凹部１５を設けて、ベース壁１４の上面に積もった塵埃を凹部１５内に集約できるようにしている。凹部１５内に集約した塵埃は、戸パネル４Ａ・４Ｂを開放した状態で、簡単に清掃除去できる。
【００３７】
上記の実施例では、振止め枠２０に振止め突条２５を設けたが、振止め枠２０に振止め溝２６を設け、戸パネル４Ｂ側に振止め突条２５を設けてもよい。ランナ２１はローラで構成することができる。凹部１５を省略して、縦壁１６をベース壁１４から直接立ち上げることもできる。
【００３８】
本発明の引戸構造は、前後一対の戸パネル４Ａ・４Ｂを２組組み合わせた引分け戸にも適用できる。必要があれば、出入口３を１個の戸パネルで開閉する片引戸に適用してもよく、その場合には上記の実施例における前側の戸パネル４Ａと、その振止め構造とを適用する。
【図面の簡単な説明】
【００３９】
【図１】引戸の振止め構造を示す図５のＡ−Ａ線断面図である。
【図２】物置の斜視図である。
【図３】図２におけるＢ−Ｂ線断面図である。
【図４】引戸の振止め構造を示す分解斜視図である。
【図５】引戸の振止め構造を示す横断平面図である。
【符号の説明】
【００４０】
３  出入口
４Ａ  前側の戸パネル
４Ｂ  後側の戸パネル
６  上レール
７  下枠
８  下レール
２０  振止め枠
２１  ランナ
２５  振止め突条
２６  振止め溝
３０  規制体
【図１】
2006152617.tif 000003
【図２】
2006152617.tif 000004
【図３】
2006152617.tif 000005
【図４】
2006152617.tif 000006
【図５】
2006152617.tif 000007